(57)【特許請求の範囲】
【請求項１】
繊維製の可撓性の板状又はシート状をなし、つる植物が付着し得る付着用連続材と、互いに略上下方向である所定方向に離隔した３以上の位置に設けられた、前記所定方向に対し交差状をなす交差材部を有してなり、
前記付着用連続材は、その表面部及び裏面部が鉛直状又は傾斜状をなす状態で前記所定方向に連続するように配置されており、その付着用連続材の前記表面部又は裏面部は、前記所定方向中間部分において、前記交差材部の前側に、前側に凸の状態で接し若しくは近接し、又は、前記交差材部の後側に、後側に凸の状態で接し若しくは近接しているものであり、
前記付着用連続材は、その付着用連続材を上方から下方へ水系液体が移動し得るものであり、その上下方向中間部の１又は２以上の箇所に、前記付着用連続材を上方から下方へ移動する水系液体の下方移動速度を低減させ得る下方移動速度低減部を有することを特徴とするつる植物等生育用構造体。
【請求項２】
上記付着用連続材における下方移動速度低減部が繊維製の付着用連続材の圧縮部である請求項１記載のつる植物等生育用構造体。
【請求項３】
上記付着用連続材が熱溶融し得る繊維からなり、上記下方移動速度低減部が付着用連続材の溶融部である請求項１記載のつる植物等生育用構造体。
【請求項４】
上記付着用連続材における下方移動速度低減部が付着用連続材の全幅にわたる請求項１乃至３の何れか１項に記載のつる植物等生育用構造体。
【請求項５】
上記付着用連続材の所定方向中間部分は、その表面部又は裏面部において、互いに前記所定方向に離隔した２以上の位置の交差材部のうち、１以上の交差材部に対し、その交差材部の前側に、前側に凸の状態で接し若しくは近接し、他の１以上の交差材部に対し、その交差材部の後側に、後側に凸の状態で接し若しくは近接しており、
前記付着用連続材の前記所定方向中間部分において、前記の交差材部の前側に、前側に凸の状態で接し若しくは近接した状態の箇所と、前記の交差材部の後側に、後側に凸の状態で接し若しくは近接した状態の箇所が、前記所定方向において１又は２回以上入れ替わっている請求項１乃至４の何れか１項に記載のつる植物等生育用構造体。
【請求項６】
上記付着用連続材の上記所定方向中間部分において、上記交差材部の前側に、前側に凸の状態で接し若しくは近接した状態の箇所と、上記交差材部の後側に、後側に凸の状態で接し若しくは近接した状態の箇所が、前記所定方向に並ぶ交差材部の位置毎に交互に入れ替わっている請求項５記載のつる植物等生育用構造体。
【請求項７】
上記付着用連続材を２以上有する請求項１乃至６の何れか１項に記載の植物等生育用構造体。
【請求項８】
上記２以上の付着用連続材が間隔おきに並列している請求項７記載の植物等生育用構造体。
【請求項９】
上記交差材部が網状体の網目を構成する棒状又線材状をなすものである請求項１乃至８の何れか１項に記載の植物等生育用構造体。
【請求項１０】
上記交差材部が水平な棒状又線材状である請求項１乃至９の何れか１項に記載の植物等生育用構造体。
【請求項１１】
上記付着用連続材が不織布製である請求項１乃至１０の何れか１項に記載の植物等生育用構。
【発明の詳細な説明】
【技術分野】
【０００１】
本発明は、つる植物等を建築物の外壁部等に生育させるためのつる植物等生育用構造体に関する。
【背景技術】
【０００２】
特開２０１４−３６６２０号公報には、「付着型植物(P)の登攀を支援するもので、保形材(1)、ヤシ殻マット(2)及び立体金網(3)を備え、該保形材(1)は該ヤシ殻マット(2)の一面に添設されて該ヤシ殻マット(2)の形態維持に関与しており、該ヤシ殻マット(2)は多数のヤシ殻繊維をマット状に一体成形して付着型植物(P)の付着根(R)の付着を容易にしたもので、該立体金網(3)は該付着型植物(P)の脱落防止用で該ヤシ殻マット(2)の他面に配設されていることを特徴とする登攀助材。」の発明が記載されている。
【０００３】
ヤシ殻マットは化学繊維のマットに比べ付着型植物の付着根が侵入し易いので、付着型植物の登攀用マットとしては大変好ましいが、天然素材であるため、経年変化が起こり易いという欠点がある。例えば、湿度（水分）を吸収すると膨張（伸長）し、その水分が蒸発すると収縮する。
【０００４】
実際に、広域緑化面に複数枚のマットを上下方向に列設した場合、マットの収縮により上下に隣り合うマット相互間に隙間が発生している。また、マットの膨張は、マットが規制部材、例えば立体金網に取り付けられている個所以外で起こり、表面が膨れて波を打った状態になり、膨れた部分ではマットと規制部材の間隔が狭くなるので、付着型植物の登攀に支障を来す。
【０００５】
これらの膨張量や収縮量が大きくなると、ヤシ殻マットは規制部材との固定部分が損壊し、更に進むとヤシ殻マットの脱落の危険性が生じるので、この膨張や収縮への対応が欠かせない。
【０００６】
特開２０１４−３６６２０号公報記載の発明では、「ヤシ殻マットは付着型植物の付着根が侵入し易いのでその登攀が容易となり、保形材は経年変化し易いヤシ殻マットの形態維持ができるので、ヤシ殻マット単独の場合に生じ易い諸欠点を解消でき、建物の壁面等に設置すれば、緑化用、遮光用、目隠し用等として長期間にわたってその目的を果たせる。ヤシ殻マットが損壊し、付着型植物が生育せず、あるいは付着型植物が枯れて、緑化されない個所が現れても、保形材がある程度その機能を代行するので、殊に覗き見に対して効果的である。」とされている。 
【０００７】
しかしながら、特開２０１４−３６６２０号公報記載の登攀助材は、建物の壁面等に相当の高さにわたり設けることが多いにもかかわらず、全体の重量が嵩み、設置作業にも相当な手数を要する。
【先行技術文献】
【特許文献】
【０００８】
【特許文献１】特開２０１４−３６６２０号公報
【発明の概要】
【発明が解決しようとする課題】
【０００９】
本発明は、軽量化及び設置容易性を実現し得ると共に、風や重力その他の外力等によりつる植物等の生育が妨げられたり損傷したりすることが防がれるつる植物等生育用構造体を提供することを目的とする。
【課題を解決するための手段】
【００１０】
本発明の植物等生育用構造体は、次のように表すことができる。
【００１１】
(1) 可撓性の板状又はシート状をなし、つる植物の攀縁根等が付着し得る付着用連続材と、互いに所定方向に離隔した３以上の位置に設けられた、前記所定方向に対し交差状をなす交差材部を有してなり、
前記付着用連続材は、その表面部及び裏面部が鉛直状又は傾斜状をなす状態で前記所定方向に連続するように配置されており、その付着用連続材の前記表面部又は裏面部は、前記所定方向中間部分において、前記交差材部の前側に、前側に凸の状態で接し若しくは近接し、又は、前記交差材部の後側に、後側に凸の状態で接し若しくは近接していることを特徴とするつる植物等生育用構造体。
【００１２】
本発明のつる植物等生育用構造体は、互いに所定方向に離隔した３以上の位置に、前記所定方向に対し交差状をなす交差材部が設けられ、表面部又は裏面部が鉛直状又は傾斜状をなす状態で前記所定方向に連続するように配置された付着用連続材が、前記交差材部の前側に、前側に凸の状態で接し若しくは近接し、又は、前記交差材部の後側に、後側に凸の状態で接し若しくは近接している構造である。
【００１３】
従って、全体として軽量であり且つ容易に設置し得ると共に、前記所定方向に連続する付着用連続材に攀縁根等が付着したつる植物等やその付着用連続材自体に作用する風や重力その他の外力等により付着用連続材が大きく変位してつる植物等の生育が妨げられたり、付着用連続材や植物が損傷したりすることを防ぐことができ、而も、前記所定方向に連続する付着用連続材が少なくとも前後方向に立体性を有することにより、つる植物ができるだけ攀縁し易くすることができる。
【００１４】
(2) 上記付着用連続材の所定方向中間部分は、その表面部又は裏面部において、互いに前記所定方向に離隔した２以上の位置の交差材部のうち、１以上の交差材部に対し、その交差材部の前側に、前側に凸の状態で接し若しくは近接し、他の１以上の交差材部に対し、その交差材部の後側に、後側に凸の状態で接し若しくは近接しており、
前記付着用連続材の前記所定方向中間部分において、前記の交差材部の前側に、前側に凸の状態で接し若しくは近接した状態の箇所と、前記の交差材部の後側に、後側に凸の状態で接し若しくは近接した状態の箇所が、前記所定方向において１又は２回以上入れ替わっている上記(1)記載のつる植物等生育用構造体。
【００１５】
この場合、付着用連続材の所定方向中間部分は、その表面部又は裏面部において、何れかの交差材部の前側に、前側に凸の状態で接し若しくは近接した状態の箇所と、他の交差材部の後側に、後側に凸の状態で接し若しくは近接した状態の箇所が、所定方向において１又は２回以上（例えば３又は４回以上）入れ替わっている構造である。そのため、全体として軽量であり且つ容易に設置し得ると共に、前記所定方向に連続する付着用連続材に攀縁根等が付着したつる植物等やその付着用連続材自体に作用する風や重力その他の外力等により付着用連続材が大きく変位してつる植物等の生育が妨げられたり、付着用連続材や植物が損傷したりすることを、前記入れ替わり構造によってより効果的に防ぐことができ、而も、所定方向に連続する付着用連続材が少なくとも前後方向に立体性を有することにより、つる植物ができるだけ攀縁し易くすることができる。
【００１６】
(3) 上記付着用連続材の上記所定方向中間部分において、上記交差材部の前側に、前側に凸の状態で接し若しくは近接した状態の箇所と、上記交差材部の後側に、後側に凸の状態で接し若しくは近接した状態の箇所が、前記所定方向に並ぶ交差材部の位置毎に交互に入れ替わっている上記(2)記載のつる植物等生育用構造体。
【００１７】
この場合、付着用連続材の所定方向中間部分において、上記交差材部の前側に、前側に凸の状態で接し若しくは近接した状態の箇所と、上記交差材部の後側に、後側に凸の状態で接し若しくは近接した状態の箇所が、前記所定方向に並ぶ交差材部の位置毎に交互に入れ替わっている構造であるので、全体として軽量であり且つ容易に設置し得ると共に、所定方向に連続する付着用連続材に攀縁根等が付着したつる植物等やその付着用連続材自体に作用する風や重力その他の外力等により付着用連続材が大きく変位してつる植物等の生育が妨げられたり、付着用連続材や植物が損傷したりすることを、前記交互入れ替わり構造によってより効果的に防ぐことができ、而も、所定方向に連続する付着用連続材が少なくとも前後方向に立体性を有することにより、つる植物ができるだけ攀縁し易くすることができる。
【００１８】
(4) 上記付着用連続材を２以上有する上記(1)乃至(3)の何れか１項に記載の植物等生育用構造体。
【００１９】
(5) 上記２以上の付着用連続材が間隔おきに並列している上記(4)記載の植物等生育用構造体。
【００２０】
(6) 上記交差材部が網状体の網目を構成する棒状又線材状をなすものである上記(1)乃至(5)の何れか１項に記載の植物等生育用構造体。
【００２１】
(7) 上記所定方向が略上下方向である上記(1)乃至(6)の何れか１項に記載の植物等生育用構造体。
【００２２】
この場合、付着用連続材が略上下に連続するように配置されるので、つる植物等が上方に攀縁し得るつる植物等生育用構造体を比較的容易に形成し得る。
【００２３】
(8) 上記交差材部が水平な棒状又線材状である上記(7)記載の植物等生育用構造体。
【００２４】
(9) 上記所定方向が略水平方向である上記(1)乃至(6)の何れか１項に記載の植物等生育用構造体。
【００２５】
この場合、付着用連続材が略水平方向に連続するように配置されることにより、水平方向断面内において付着用連続材が交差材部の前側又は後側に凸の状態を形成するので、その付着用連続材の下側から上方に向かうつる植物等の攀縁が比較的容易となる。
【００２６】
(10) 上記交差材部が上下方向の棒状又線材状である上記(9)記載の植物等生育用構造体。
【００２７】
(11) 上記付着用連続材が不織布製である上記(1)乃至(10)の何れか１項に記載の植物等生育用構造体。
【発明の効果】
【００２８】
本発明のつる植物等生育用構造体は、全体として軽量であり且つ容易に設置し得ると共に、所定方向に連続する付着用連続材に攀縁根等が付着したつる植物等やその付着用連続材自体に作用する風や重力その他の外力等により付着用連続材が大きく変位してつる植物等の生育が妨げられたり、付着用連続材や植物が損傷したりすることを防ぐことができ、而も、所定方向に連続する付着用連続材が少なくとも前後方向に立体性を有するものとすることにより、つる植物ができるだけ攀縁し易くすることができる。
【図面の簡単な説明】
【００２９】
【図１】つる植物等生育用構造体の正面図である。
【図２】つる植物等生育用構造体の右側面図である。
【図３】図２における網状体下端部の拡大図である。
【図４】つる植物等生育用構造体の斜視図である。
【図５】図４におけるＶ部拡大図である。
【図６】図４におけるＶＩ部拡大図である。
【図７】別のつる植物等生育用構造体の正面図である。
【図８】つる植物等生育用構造体の要部拡大平面図である。
【発明を実施するための形態】
【００３０】
[1] 本発明の実施の形態を、図面を参照しつつ説明する。
【００３１】
(1) 図１乃至図６は、何れも本発明の実施の形態の一例としてのつる植物等生育用構造体に関するものである。
【００３２】
このつる植物等生育用構造体は、付着用連続材Ｔ１−Ｔ５が、一定水平方向幅の仮想鉛直平面に沿って上下等間隔に互いに平行状に設けられた実質上互いに同一の水平状の交差材部の前側又は後側を経て上下に連続するよう配置されてなるものである。
【００３３】
(1-1) 付着用連続材Ｔ１−Ｔ５は、つる植物の攀縁根等が付着し得る不織布からなる。この不織布は、表側をつる植物の攀縁根等が付着し易いニードルパンチ状、裏側は耐久性に優れたスパンポンド状として、つる植物の攀縁根等の付着し易さと耐久性を兼ね備える構成としたものである。
【００３４】
付着用連続材Ｔ１−Ｔ５は、上下に連続するよう配置された状態において、実質上一定の横幅（水平方向幅）で、横幅に対し垂直に上下方向に連続するものである。
【００３５】
(1-2) 建築物の外壁Ａ（対象物）に固定された多数の支持体Ｂにより、長方形平板状の網状体Ｃが、外壁Ａから前方に所定距離離隔した位置において直立状に支持されている。この例における外壁Ａの壁面は鉛直面である。なお、支持体Ｂ及びプランターＰは、図２にのみ示し、他の図においては省略する。
【００３６】
網状体Ｃは、ステンレス鋼製の１０本の縦方向材Ｃａ１−Ｃａ１０（縦線材）と２０本の横方向材Ｃｂ１−Ｃｂ２０（横線材）が正方形状の一定の網目を構成する縦横対称状の直交格子状をなすように交差位置において溶接により接合されて長方形状の外形を有する平板状をなすものである。各縦方向材Ｃａ１−Ｃａ１０の上端部及び下端部は、それぞれ、最上位置の横方向材Ｃｂ１よりも上方及び最下位置の横方向材Ｃｂ２０よりも下方に、前記正方形状の網目の縦又は横寸法の半分に相当する長さが突出し、各横方向材Ｃｂ１−Ｃｂ２０の左端部及び右端部は、それぞれ、最左位置の縦方向材Ｃａ１よりも左方及び最右位置の縦方向材Ｃａ１０よりも右方に、前記正方形状の網目の縦又は横寸法の半分に相当する長さが突出している。
【００３７】
網状体Ｃにおける各横方向材Ｃｂ１−Ｃｂ２０のうち、隣り合う縦方向材の間の部分が、一定水平方向幅の仮想鉛直平面に沿って上下等間隔に互いに平行状に設けられた実質上互いに同一の水平状の交差材部を構成する。これらの交差材部は、それぞれ、水平方向において離隔した２箇所（横方向材のうち隣り合う縦方向材の間の部分の両端位置）を水平状に結ぶものである。
【００３８】
網状体Ｃは、横方向材Ｃｂ１、Ｃｂ４、Ｃｂ８、Ｃｂ１２、Ｃｂ１６、Ｃｂ１８のそれぞれにおける水平方向対称状をなす４箇所で支持体Ｂにより支持されている。
【００３９】
(1-3) 網状体Ｃにおける隣り合う縦方向材Ｃａ１・Ｃａ２の間の部分に、左から１番目の付着用連続材Ｔ１が、その表面部及び裏面部がほぼ鉛直状（又はやや傾斜状）をなす状態で上下に連続するよう配置されている。
【００４０】
付着用連続材Ｔ１の上端部には、上端ループ状部Ｌ１が形成されている。上端ループ状部Ｌ１の軸線方向は、その付着用連続材Ｔ１の幅方向に沿うものである。その上端ループ状部Ｌ１に、網状体Ｃにおける上から２番目の横方向材Ｃｂ２のうち隣り合う縦方向材Ｃａ１・Ｃａ２の間の部分（交差材部）が挿通されている。これにより、付着用連続材Ｔ１の上端部がほぼ上向きに支持されている。
【００４１】
付着用連続材Ｔ１の下端部には、下端ループ状部Ｌ２が形成されている。下端ループ状部Ｌ２の軸線方向は、その付着用連続材Ｔ１の幅方向に沿うものである。その下端ループ状部Ｌ２に、網状体Ｃの最下位置の横方向材Ｃｂ２０のうち隣り合う縦方向材Ｃａ１・Ｃａ２の間の部分（交差材部）が挿通されている。これにより、付着用連続材Ｔ１の下端部が保持されている。
【００４２】
付着用連続材Ｔ１の表面部又は裏面部は、上端ループ状部Ｌ１と下端ループ状部Ｌ２の間の部分が、網状体Ｃの各横方向材Ｃｂ３−Ｃｂ１９のうち隣り合う縦方向材Ｃａ１・Ｃａ２の間の部分である上下方向に並列した交差材部の前側又は後側に交互に接し若しくは近接しつつ上下に張り渡された状態で連続する。すなわち、付着用連続材Ｔ１は、上下方向に並列した交差材部の軸線を含む仮想鉛直平面の前側又は後側を、上下方向に並ぶ交差材部毎に交互に経て上下に連続する。従って、上下方向に並列する交差材部の位置毎に、順次、付着用連続材Ｔ１の裏面部が交差材部の前側に、前側に凸の状態で接し若しくは近接して相対する状態の箇所と、付着用連続材Ｔ１の表面部が交差材部の後側に、後側に凸の状態で接し若しくは近接して相対する状態の箇所が入れ替わることとなる。この例においては、付着用連続材Ｔ１は、上端ループ状部Ｌ１から、横方向材Ｃｂ３の後側、横方向材Ｃｂ４の前側、横方向材Ｃｂ５の後側を順次経て下方へ連続し、横方向材Ｃｂ１９の後側を経て下端ループ状部Ｌ２に至る。
【００４３】
付着用連続材Ｔ１が配置されている各交差材部（Ｃｂ２−Ｃｂ２０のうち隣り合う縦方向材Ｃａ１・Ｃａ２の間の部分）の両端部には、上下方向（縦）部である縦方向材Ｃａ１・Ｃａ２を有するので、各交差材部の前側又は後側を経る付着用連続材Ｔ１が、各交差材部の左右何れかの端部よりも横方向外方へ離脱することが防がれる。
【００４４】
(1-4) 左から２番目の付着用連続材Ｔ２は、網状体Ｃの各横方向材Ｃｂ２−Ｃｂ２０のうち、網状体Ｃにおける隣り合う縦方向材Ｃａ３・Ｃａ４の間の部分である上下方向に並列した交差材部に対し、付着用連続材Ｔ１と同様に上下に張り渡された状態で連続するように配置されている。左から３番目乃至５番目の付着用連続材Ｔ３−Ｔ５も同様である。この例の場合、何れの付着用連続材Ｔ１−Ｔ５も、上端ループ状部Ｌ１から、横方向材Ｃｂ３の後側、横方向材Ｃｂ４の前側、横方向材Ｃｂ５の後側を順次経て下方へ連続し、横方向材Ｃｂ１９の後側を経て下端ループ状部Ｌ２に至るが、付着用連続材によって前側と後側の順番を変えたり、前側又は後側を複数連続させたりする等の変化を設けることもできる。
【００４５】
なお、網状体Ｃにおける隣り合う縦方向材Ｃａ２・Ｃａ３の間の部分、隣り合う縦方向材Ｃａ４・Ｃａ５の間の部分、縦方向材Ｃａ６・Ｃａ７の間の部分、縦方向材Ｃａ８・Ｃａ９の間の部分は、風を逃がすと共に視界を妨げない部分として、付着用連続材は配置されていない。尤も、付着用連続材の配置態様はこれに限るものではない。
【００４６】
(1-5) 上下に連続するように配置された各付着用連続材Ｔ１−Ｔ５の下端部には、プランターＰに収容された土壌が位置し、つる植物の根がその土壌において生育し、そのつる植物の攀縁根等が上下に連続する付着用連続材Ｔ１−Ｔ５に付着してつる植物が生育し得るものである。
【００４７】
(2) 図７及び図８は、本発明の実施の形態の別の例としてのつる植物等生育用構造体に関するものである。
【００４８】
このつる植物等生育用構造体は、長さを除いて付着用連続材Ｔ１−Ｔ５と同様の付着用連続材Ｔ６−Ｔ１５が、図１等と同じ網状体Ｃにおける、一定垂直方向幅の仮想鉛直平面に沿って水平方向等間隔に互いに平行状に設けられた実質上互いに同一の鉛直方向の縦方向材Ｃａ１−Ｃａ１０の前側又は後側を経て、その表面部及び裏面部が鉛直状をなす状態で水平方向に連続するよう配置されてなるものである。
【００４９】
(2-1) 網状体Ｃにおける各縦方向材Ｃａ１−Ｃａ１０のうち、上下に隣り合う横方向材Ｃｂ１・Ｃｂ２の間の部分が、一定垂直方向幅の仮想鉛直平面に沿って水平方向等間隔に互いに平行状に設けられた実質上互いに同一の鉛直方向の交差材部を構成する。これらの交差材部は、それぞれ、上下方向において離隔した２箇所（縦方向材のうち隣り合う横方向材の間の部分の両端位置）を鉛直状に結ぶものである。
【００５０】
(2-2) 網状体Ｃにおける上下に隣り合う横方向材Ｃｂ１・Ｃｂ２の間の部分に、上から１番目の付着用連続材Ｔ６が水平方向に連続する状態で配置されている。
【００５１】
付着用連続材Ｔ６の水平方向一端部である右端部には、右端ループ状部Ｌ４が形成されている。右端ループ状部Ｌ４の軸線方向は、その付着用連続材Ｔ６の幅方向に沿うものである。その右端ループ状部Ｌ４に、網状体Ｃにおける右端の縦方向材Ｃａ１０のうち上下に隣り合う横方向材Ｃｂ１・Ｃｂ２の間の部分（交差材部）が挿通されている。これにより、付着用連続材Ｔ６の右端部が支持されている。
【００５２】
付着用連続材Ｔ６の左端部には、左端ループ状部Ｌ３が形成されている。左端ループ状部Ｌ３の軸線方向は、その付着用連続材Ｔ６の幅方向に沿うものである。その左端ループ状部Ｌ３に、網状体Ｃの左端の縦方向材Ｃ１のうち上下に隣り合う横方向材Ｃｂ１・Ｃｂ２の間の部分（交差材部）が挿通されている。これにより、付着用連続材Ｔ６の左端部が支持されている。
【００５３】
付着用連続材Ｔ６の表面部又は裏面部は、右端ループ状部Ｌ４と左端ループ状部Ｌ３の間の部分が、網状体Ｃの各縦方向材Ｃａ１−Ｃａ１０のうち上下に隣り合う横方向材Ｃｂ１・Ｃｂ２の間の部分である水平方向に並列した交差材部の前側又は後側に交互に接し若しくは近接しつつ水平方向に張り渡された状態で連続する。すなわち、付着用連続材Ｔ６は、水平方向に並列した交差材部の軸線を含む仮想鉛直平面の前側又は後側を、水平方向に並ぶ交差材部毎に交互に経て水平方向に連続する。従って、水平方向に並列する交差材部の位置毎に、順次、付着用連続材Ｔ６の裏面部が交差材部の前側に、前側に凸の状態で接し若しくは近接して相対する状態の箇所と、付着用連続材Ｔ６の表面部が交差材部の後側に、後側に凸の状態で接し若しくは近接して相対する状態の箇所が入れ替わることとなる。この例においては、付着用連続材Ｔ６は、右端ループ状部Ｌ４から、縦方向材Ｃａ９の後側、縦方向材Ｃａ８の前側、縦方向材Ｃａ７の後側を順次経て左方へ連続し、縦方向材Ｃａ２の前側を経て左端ループ状部Ｌ３に至る。
【００５４】
付着用連続材Ｔ６が配置されている各交差材部（縦方向材Ｃａ１−Ｃａ１０のうち横方向材Ｃｂ１・Ｃｂ２の間の部分）の両端部には、上下方向（縦）部である横方向材Ｃｂ１・Ｃｂ２を有するので、各交差材部の前側又は後側を経る付着用連続材Ｔ６が、各交差材部の上下何れかの端部よりも上下方向外方へ離脱することが防がれる。
【００５５】
(2-3) 上から２番目の付着用連続材Ｔ７は、網状体Ｃの各縦方向材Ｃａ１−Ｃａ１０のうち、上下に隣り合う横方向材Ｃｂ３・Ｃｂ４の間の部分である水平方向に並列した交差材部に対し、付着用連続材Ｔ６と同様に水平方向に張り渡された状態で連続するように配置されている。
【００５６】
上から３番目乃至１０番目の付着用連続材Ｔ８−Ｔ１５も同様である。この例の場合、何れの付着用連続材Ｔ６−Ｔ１５も、右端ループ状部Ｌ４から、縦方向材Ｃａ９の後側、縦方向材Ｃａ８の前側、縦方向材Ｃａ７の後側を順次経て左方へ連続し、縦方向材Ｃａ２の前側を経て左端ループ状部Ｌ３に至るが、付着用連続材によって前側と後側の順番を変えたり、前側又は後側を複数連続させたりする等の変化を設けることもできる。
【００５７】
なお、網状体Ｃにおける上下に隣り合う横方向材Ｃｂ２・Ｃｂ３の間の部分、上下に隣り合う横方向材Ｃｂ４・Ｃｂ５の間の部分、上下に隣り合う横方向材Ｃｂ６・Ｃｂ７の間の部分、上下に隣り合う横方向材Ｃｂ８・Ｃｂ９の間の部分、上下に隣り合う横方向材Ｃｂ１０・Ｃｂ１１の間の部分、上下に隣り合う横方向材Ｃｂ１２・Ｃｂ１３の間の部分、上下に隣り合う横方向材Ｃｂ１４・Ｃｂ１５の間の部分、上下に隣り合う横方向材Ｃｂ１６・Ｃｂ１７の間の部分、並びに、上下に隣り合う横方向材Ｃｂ１８・Ｃｂ１９の間の部分は、風を逃がすと共に視界を妨げない部分として、付着用連続材は配置されていない。尤も、付着用連続材の配置態様はこれに限るものではない。
【００５８】
(2-4) 例えば、最下部の付着用連続材Ｔ１５の下側に、プランターに収容された土壌を位置させることにより、つる植物の根がその土壌において生育し、そのつる植物の攀縁根等が、付着用連続材Ｔ１５及びその上方に配列された付着用連続材Ｔ６−Ｔ１４に付着してつる植物が生育し得るものとすることができる。この場合、水平方向断面内において付着用連続材が交差材部の前側又は後側に凸の状態を形成するので、各付着用連続材の上下の横方向材とも協働して、その付着用連続材の下側から上方に向かうつる植物等の攀縁が比較的容易となる。
【００５９】
(3) なお、何れも縦横方向が上下及び左右方向となる姿勢の複数枚の網状体Ｃが、対応する辺同士が一致するように（一方の辺の両端位置が他方の辺の両端位置に一致するように）接した状態で、縦横に隣接整列し、或いは縦のみ又は横のみに隣接整列したものとすることもできる。
【００６０】
複数枚の網状体Ｃが縦に隣接整列したものの場合、例えば、縦に隣接整列した複数の網状体Ｃにわたって一つの付着用連続材が上下に連続するよう配置されたものとすることができる他、付着用連続材を各網状体Ｃ毎に配置し、縦に隣接整列した網状体Ｃの各付着用連続材の上端と下端が例えば１又は２網目程度の適宜間隔を挟んで縦に近接するものとしてつる植物の攀縁根等がそれらの付着用連続材に付着しつつ攀縁し得るものとすることもできる。なお、このように、複数の上下連続の付着用連続材を、適宜の上下方向間隔を挟んで縦に近接するように配置することは、１枚の網状体において行うこともできる。
【００６１】
また、例えば、付着用連続材が水平方向に連続するよう配置された複数枚の網状体Ｃが縦に隣接整列したものとすることもできる。
【００６２】
複数枚の網状体Ｃが横に隣接整列したものの場合、例えば、横に隣接整列した複数の網状体Ｃにわたって一つの付着用連続材が水平方向に連続するよう配置されたものとすることができる他、付着用連続材を各網状体Ｃ毎に配置するものとすることができる。
【００６３】
[2] 本発明の実施の形態を、上記以外の形態を含めて更に説明する。
【００６４】
(1) 本発明のつる植物等生育用構造体は、可撓性の板状又はシート状をなす付着用連続材と、互いに所定方向に離隔した３以上の位置に設けられた交差材部を有し、前記付着用連続材は、その表面部及び裏面部が鉛直状又は傾斜状をなす状態で所定方向に連続するよう配置され、その付着用連続材の前記表面部又は裏面部は、前記所定方向中間部分において、前記横材部の前側に、前側に凸の状態で接し若しくは近接し、又は、前記横材部の後側に、後側に凸の状態で接し若しくは近接するものである。
【００６５】
所定方向としては、一般には略上下方向（例えば、上下方向又は上下方向に対し１０乃至２０度以下傾斜した方向）又は略水平方向（例えば、水平方向又は水平方向に対し１０乃至２０度以下傾斜した方向）であるが、必ずしもこれらに限るものではない。付着用連続材の表面部及び裏面部が傾斜状をなす状態としては、仮想鉛直面に対し、例えば４５度以下の角度（好ましくは３０度乃至２０度以下の角度）の傾斜状をなす状態であるが、必ずしもこれらに限るものではない。
【００６６】
(2) 付着用連続材は、可撓性の板状又はシート状をなす。
【００６７】
付着用連続材は、つる植物（自身の茎で直立せず他の植物によりかかって伸長する植物）の攀縁根等が付着し得る材料を使用してなる。例えば、付着用連続材の全部又は部分がつる植物の攀縁根等が付着し得る材料からなるものとすることができる。
【００６８】
つる植物の攀縁根等が付着し得る材料の好適な例としては、不織布状又はフェルト状のものを挙げることができるが、これに限るものではない。前記不織布の例としては、表面部をつる植物の攀縁根等が付着し易いニードルパンチ状、裏面部は耐久性に優れたスパンポンド状に構成した不織布又はニードルパンチ不織布とスパンポンド不織布を接合したものの他、ニードルパンチ、スパンポンド、サーマルボンド、ケミカルボンド、ステッチボンド、スパンレース等の各種製法による不織布を挙げることができる。
【００６９】
付着用連続材は、所定方向に連続するよう配置された状態において、実質上一定の横幅で、横幅に対し垂直に所定方向に連続するものであることが好ましいが、これに限るものではない。例えば、両方又は一方の側縁が所定方向に対し一定の向きに又は交互の向きに一定角度又は可変角度で傾斜する部分を一部又は全部に有するものとすることや、横幅が所定方向の位置によって変化するものとすることもできる。
【００７０】
付着用連続材が繊維製であって、所定方向が上下方向であり、上下に連続する付着用連続材を上方から下方へ水分（水系液体）が移動し得るものである場合、上下に連続する付着用連続材の上下方向中間部の１又は２以上の箇所に、全幅にわたる水平方向又はＵ字、Ｖ字、Ｗ字、若しくはこれら１又は２以上が複数連続した形状の圧縮部又は熱溶融し得る繊維からなる場合は溶融部を設けてその圧縮部又は溶融部において繊維同士の隙間を極めて小さくし又は無くし、その圧縮部又は溶融部において上下に連続する付着用連続材を上方から下方へ移動する水分（水系液体）の下方移動速度を低減させ得るものとすることができる。
【００７１】
(3) 各交差材部は、所定方向に対し交差方向（例えば、９０度の交差方向若しくは４５度以上の角度、好ましくは６０度乃至７０度以上又８０度以上の角度の交差方向）において離隔した２箇所を、例えば、単一の部材により又は複数の部材により、連続状に又は一部に不連続部が存在する状態で、結ぶものとすることができる。
【００７２】
前記２箇所は、所定方向に対し９０度の交差方向の直線上にあることが好ましいが、これに限るものではない。
【００７３】
また、前記２箇所のそれぞれは、点状、線状、又は面状であるものとすることができる。
【００７４】
このような交差材部としては、例えば、所定方向に対し交差状をなす方向において離隔した２箇所において交差材部の両端部が支持されたもの、又は、所定方向に対し交差状をなす方向において離隔した２箇所のうち一方において交差材部の一方の端部が支持され、前記２箇所のうち他方の端部は、自由端部等の支持されていない端部であるものを挙げることができる。
【００７５】
(3-1) 交差材部は、付着用連続材がその前側又は後側を経て所定方向に連続するよう配置され得るように設けることができる他、付着用連続材の一方の端部又は他方の端部等が支持又は保持される（例えば付着用連続材の一方の端部又は他方の端部をループ状に形成してそのループ状部に交差材部が挿通されることにより支持又は保持される）ように形成することもできる。
【００７６】
各交差材部は、その前側及び後側の一方を経て或いは前側及び後側の何れを経ても付着用連続材が所定方向に連続し得るように、或いは、付着用連続材の一方の端部又は他方の端部等が支持又は保持され得るように、各種建築物若しくは建築物以外の各種構造物（必ずしも土地の定着物に限らない）又は非人工物の外壁、支柱若しくはその他の部分（例えば鉛直面を含む部分若しくは急傾斜面を含む部分）に対し、直接或いは他の支持体および／または各種部材等を介して支持されたものとすることができる。
【００７７】
(3-2) 交差材部の形態は、棒状若しくは線材状の他、例えば、紐状（ロープを含む）、板状、網板状とすることができるが、これらに限るものではない。
【００７８】
(3-3) 各交差材部の所定方向に対し交差状をなす方向において離隔した２箇所を所定方向に対し直交状に又は傾斜状に（例えば、所定方向が上下方向である場合に、水平状又は傾斜状に）結ぶ軸線を含む仮想鉛直面の一方の面の側と他方の面の側をそれぞれ交差材部の前側及び後側とすることができる。
【００７９】
交差材部の所定方向に対し交差状をなす方向において離隔した２箇所を所定方向に対し直交状又は傾斜状に結ぶ軸線とは、所定方向に対し交差状をなす方向において離隔した２箇所を所定方向に対し直交状又は傾斜状に結ぶ方向における交差材部の中心線又はこれに準ずるものであり、例えば、交差材部が、両端が前記２箇所に位置する棒状若しくは線材状又は紐状である場合は、その棒状若しくは線材状又は紐状の交差材部の両端を結ぶ中心軸線、交差材部が、両端部が前記２箇所に位置する板状又は網板状である場合は、その板状又は網板状の交差材部の両端を結ぶ中心軸線とすることができる。
【００８０】
(3-4) 交差材部は、所定方向に対し交差状をなす方向の直線に沿ったものであることが望ましいが、必ずしもこれに限るものではなく、例えば、所定方向に対し交差状をなす方向の直線を中心として側方、前後方向又はその他の方向に屈曲した又は屈曲を繰り返す、屈曲状又は波形状をなすものとすることもできる。
【００８１】
また、傾斜した直線に沿ったもの、或いは、例えば、傾斜した直線を中心として側方、前後方向又はその他の方向に屈曲した又は屈曲を繰り返す屈曲状又は波形状をなすものとすることもできる。
【００８２】
(3-5) 互いに所定方向に離隔した３以上の位置に設けられた交差材部は、同一のもの又は同一性を有するものであることが望ましいが、必ずしもこれに限るものではない。
【００８３】
なお、例えば互いに上下方向に離隔した３以上の位置に設けられた交差材部が互いに同一のもの又は同一性のあるものである場合、例えば、その交差材部の水平方向両端間の距離に対応する幅の所定の仮想鉛直平面又は仮想傾斜平面に沿って、それらの交差材部が互いに平行状をなすものとすること、すなわち各交差材部の両端位置がそれらの仮想鉛直平面又は仮想傾斜平面の両側縁に位置するものとすることができる。上下方向以外の所定方向に互いに離隔した３以上の位置に設けられた交差材部が互いに同一のもの又は同一性のあるものである場合も同様である。
【００８４】
(3-6) 互いに上下方向に離隔した３以上の位置に設けられた交差材部は、所定の仮想鉛直平面又は仮想傾斜平面（傾斜は一定若しくは可変）に沿って、互いに平行状をなすものとすることができるが、必ずしもこれに限るものではない。上下方向以外の所定方向に互いに離隔した３以上の位置に設けられた交差材部の場合も同様である。
【００８５】
例えば、所定方向に隣り合う交差材部のうち、第１の交差材部が他方の交差材部である第２の交差材部に対し例えば１０乃至２０度以下の角度ねじれたねじれの位置に位置し、更に、第３の交差材部、第４の交差材部と次々と隣り合う交差材部が、順次、例えば１０乃至２０度以下の角度ねじれたねじれの位置に位置するものとすることができる。
【００８６】
或いは例えば、所定方向に隣り合う交差材部のうち、第１の交差材部が他方の交差材部である第２の交差材部に対し例えば１０乃至２０度以下の角度ねじれたねじれの位置に位置し、次に隣り合う第３の交差材部、更に第５の交差材部は、前記第１の交差材部と互いに平行状をなし、第２、第４、第６の交差材部は互いに平行状をなすというように、１又は２以上毎に互いに平行状をなすものとすることもできる。
【００８７】
(3-7) 交差材部の両端部には、所定方向に対し交差状をなす方向において離隔した２箇所を結ぶ方向に対し直交する方向の成分を有する部分（例えば、所定方向が上下方向である場合、上下方向部又は前後方向部等の、水平方向において離隔した２箇所を結ぶ方向に対し直交する方向の成分を有する部分）を有することが、各交差材部の前側又は後側を経る付着用連続材が、各交差材部の何れかの端部よりも外方へ離脱することを防ぐ上で望ましい。
【００８８】
(3-8) 交差材部としては、例えば、各種の構造体における交差材部を用いることができる。
【００８９】
このような交差材部の具体例としては、
直立状又は傾斜状の網状体、好ましくは実質上非可撓性の網状体であるもの等の形態維持性を有する網状体における網目を構成する横方向材又は縦方向材のうち、互いに上下方向に離隔した３以上の位置に設けられた横方向材、又は、互いに水平方向に離隔した３以上の位置に設けられた縦方向材、
一対の支柱等の一対の支持体の間にわたり、互いに上下方向に間隔をおいて横方向材が３以上設けられてなる梯子状の構造における互いに上下方向に離隔した３以上の位置に設けられた横方向材、
支柱等の支持体に対し片持状に設けられた互いに上下方向に離隔した３以上の位置に設けられた横方向材
等を挙げることができる。
【００９０】
前記網状体は、全部又は主要部が直交格子状をなす縦部と横部からなるもの、すなわち正方形又は長方形状の網目を構成するものが好ましい。この場合の縦部と横部は、それぞれ縦方向材と横方向材が交差位置において溶接若しくはその他の手段により接合されたものや編まれたものの他、縦部と横部が一体状をなすものも含む。尤も、網状体は、全部又は主要部が方形以外の形状（例えば亀甲状）の網目を構成するものとすることもできる。
【００９１】
網状体は、外形が方形状であるものが好ましい。方形状の網状体は、例えば、複数の網状体を隣接させた状態で支持する上で好ましい。前記のように全部又は主要部が直交格子状をなす縦部と横部からなるものにおいては、前記縦部と横部にそれぞれ平行な外周縁部からなる方形状をなすものであることが好ましい。尤も、網状体の外形は必ずしも方形状に限るものではない。
【００９２】
網状体は、平板状であるものを用いることができるが、必ずしも平板状に限るものではない。
【００９３】
網状体は、鋼（ステンレス鋼を含む。以下同じ。）製の線材又はその他の形態維持性を有する線材からなるものの他、鋼製の又はその他の板状材料からなるエキスパンドメタル状のもの、鋼又はその他の材料を網状に一体成形したもの等を例示することができるが、これらに限られるものではない。
【００９４】
なお、前記梯子状の構造を、１列の網目のみを有する網状体と捉えることもできる。
【００９５】
(4) 付着用連続材は、所定方向の両端部（例えば、所定方向が上下方向である場合は上端部及び下端部、或いは、所定方向が水平方向である場合は水平方向両端部）において、それぞれ、交差材部又は各種建築物若しくは建築物以外の各種構造物又は非人工物の外壁、支柱若しくはその他の部分によって支持されたものとすることができる。例えば、付着用連続材の所定方向の両端部に、それぞれ、軸線方向がその付着用連続材の幅方向に沿ったループ状部又は孔状部を形成し、そのループ状部又は孔状部に交差材部又はその他の部分が挿通された状態で付着用連続材の所定方向の両端部が支持されるものとすることができる。
【００９６】
また、付着用連続材は、所定方向中間部の１又は２以上の箇所においても、交差材部又は各種建築物若しくは建築物以外の各種構造物又は非人工物の外壁、支柱若しくはその他の部分によって保持又は支持されたものとすることができる。例えば、付着用連続材の所定方向中間部の１又は２以上の箇所に、軸線方向がその付着用連続材の幅方向に沿ったループ状部又は孔状部を形成し、そのループ状部又は孔状部に交差材部又はその他の部分が挿通された状態で付着用連続材の所定方向中間部が保持又は支持されるものとすることができる。
【００９７】
所定方向に連続するように配置された付着用連続材は、所要の形態を維持する上で、その所定方向にある程度以上の張力が加わっていることが望ましい。
【００９８】
(5) 付着用連続材は、その表面部及び裏面部が鉛直状又は傾斜状をなす状態で所定方向に連続するように配置され、その付着用連続材の表面部又は裏面部は、所定方向中間部分において、前記交差材部の前側に、前側に凸の状態で接し若しくは近接し、又は、前記交差材部の後側に、後側に凸の状態で接し若しくは近接する。所定方向を、略上下方向（例えば、上下方向又は上下方向に対し１０乃至２０度以下傾斜した方向）、略水平方向（例えば、水平方向又は水平方向に対し１０乃至２０度以下傾斜した方向）、その他の方向の何れとするかは、対象とする植物の種類やその他の条件により選択し得る。
【００９９】
所定方向に連続するよう配置された付着用連続材において、所定方向中間部分というのは、付着用連続材の両端部を除く部分である。
【０１００】
前側又は後側に凸というのは、例えば、仮想鉛直面に沿って上下方向に離隔した位置に並ぶ交差材部がそれぞれ水平状のワイヤである場合、その水平状のワイヤの直径の寸法程度の凸状態となり、仮想鉛直面に沿って水平方向に離隔した位置に並ぶ交差材部がそれぞれ鉛直状のワイヤである場合も同様であるが、交差材部の寸法、形態、配置等に応じて凸状態は様々となり得る。
【０１０１】
(5-1) 付着用連続材の裏面部は、その所定方向中間部分において、交差材部の前側に、前側に凸の状態で接し若しくは近接し得、付着用連続材の表面部は、その所定方向中間部分において、交差材部の後側に、後側に凸の状態で接し若しくは近接し得る。所定方向に連続するように配置された付着用連続材の所定方向中間部分の裏面部（又は表面部）のうち所定方向における所定範囲の部分が、所定方向に離隔した複数の位置に設けられた交差材部の前側（又は後側）に、前側（又は後側）に凸の状態で接し若しくは近接するものとすることもできる。
【０１０２】
(5-2) 付着用連続材の所定方向中間部分は、その表面部又は裏面部において、互いに所定方向に離隔した２以上の位置の交差材部のうち、１以上の交差材部に対し、その交差材部の前側に、前側に凸の状態で接し若しくは近接し、他の１以上の交差材部に対し、その交差材部の後側に、後側に凸の状態で接し若しくは近接し、
前記付着用連続材の所定方向中間部分において、前記の交差材部の前側に、前側に凸の状態で接し若しくは近接した状態の箇所と、前記の交差材部の後側に、後側に凸の状態で接し若しくは近接した状態の箇所が、所前記定方向において１又は２回以上（例えば３又は４回以上）入れ替わるものとすることができる。
【０１０３】
この場合、前記付着用連続材の所定方向中間部分において、前記交差材部の前側に、前側に凸の状態で接し若しくは近接した状態の箇所と、上記交差材部の後側に、後側に凸の状態で接し若しくは近接した状態の箇所の両箇所が、所定方向に並ぶ交差材部の位置毎に交互に入れ替わるものとすることができる。
【０１０４】
前記両箇所が交互に入れ替わる位置は、例えば、所定方向に並ぶ１つの交差材部の位置毎とすることができる他、２以上の一定数の交差材部の位置毎とすることや、１又は２以上の可変数の交差材部の位置毎とすることができる。
【０１０５】
前記両箇所が交互に入れ替わる回数は、多い方が一般には好ましい。
【０１０６】
(5-3) 付着用連続材を２以上有し、それらの付着用連続材毎に、互いに所定方向に離隔した３以上の位置に設けられた交差材部を有するものとすることができる。
【０１０７】
この場合、２以上の付着用連続材が並列しているものとすることができ、風を逃がしたり視界を妨げない等の理由により間隔おきに並列しているものとすることもできる。
【０１０８】
また、２又は３以上の付着用連続材を有し、それらのうち２以上の付着用連続材が、互いに異なる所定方向に連続するように配置されているものとすることもできる。その場合、２以上の付着用連続材が交差するものとすることもできる。
【０１０９】
(5-4) これら何れの場合も、所定方向に連続する付着用連続材に攀縁根等が付着したつる植物等やその付着用連続材自体に作用する風や重力その他の外力等により付着用連続材が大きく変位してつる植物等の生育が妨げられたり、付着用連続材や植物が損傷したりすることを防ぐと共に、所定方向に連続する付着用連続材が少なくとも前後方向に立体性を有し且つ交差材部が付着用連続材の表側又は裏側に位置するものとすることにより、つる植物ができるだけ攀縁し易くし、また、所定方向が上下である場合は、上下に連続する付着用連続材を上方から下方へ移動する水分（水系液体）の下方移動速度を低減させるものである。このような立体性を高めるには、交差材部が前方又は後方に突出する度合いを高めるという手段をとり得、交差材部（例えば、網状体における交差材部）として、前後方向の振幅を有する波形状のものを用いることもできる。
【０１１０】
(6) 上下方向又はその他の方向に連続する付着用連続材の下端部若しくは下部又はその他の箇所、或いは、水平方向等の上下方向以外の方向に連続する付着用連続材が複数上下に配列された群の下端部若しくは下部又はその他の箇所に、自然の土壌又はプランター等に収容された植物根が生育し得る土壌、人工土壌、繊維集合体などが位置するものとし、つる植物の根がそれらの土壌等において生育し、そのつる植物の攀縁根等が付着用連続材に付着し攀縁してつる植物が生育し得るものとすることができる。
【符号の説明】
【０１１１】
Ａ                外壁
Ｂ                支持体
Ｃ                網状体
Ｃａ１−Ｃａ１０  縦方向材
Ｃｂ１−Ｃｂ２０  横方向材
Ｌ１              上端ループ状部
Ｌ２              下端ループ状部
Ｌ３              左端ループ状部
Ｌ４              右端ループ状部
Ｐ                プランター
Ｔ１−Ｔ１５      付着用連続材
【図１】
0006611234.tif 000002
【図２】
0006611234.tif 000003
【図３】
0006611234.tif 000004
【図４】
0006611234.tif 000005
【図５】
0006611234.tif 000006
【図６】
0006611234.tif 000007
【図７】
0006611234.tif 000008
【図８】
0006611234.tif 000009